(57)【要約】【課題】測定装置で受信信号の演算処理を行う必要がなく、測定装置自体を変更せずに演算処理機能の変更及び追加を実現する遠隔測定処理システムを提供する【解決手段】測定用信号受信装置１０と、測定用演算処理装置２０とが互いにネットワークで接続され、測定用信号受信装置１０は、信号情報を受信する信号受信部１２と、信号情報を測定用演算処理装置２０にネットワーク４０を介して送信するネットワーク接続部１４と、を備え、測定用演算処理装置２０は、信号情報を受信するネットワーク接続部２１と、受信した信号情報に基づく演算処理を行う演算処理部と、を備える。【選択図】図１
2010004393.tif 000002
【特許請求の範囲】
【請求項１】
信号情報を受信する測定用信号受信装置が所定の場所に設置され、前記信号情報に基づく演算処理を行う測定用演算処理装置が所定の場所と異なる場所に設置され、前記測定用信号受信装置と、前記測定用演算処理装置とが互いにネットワークで接続される構成を有する遠隔測定処理システムにおいて、
前記測定用信号受信装置は、
前記信号情報を受信する信号受信部と、
前記信号受信部で受信した前記信号情報を前記測定用演算処理装置に前記ネットワークを介して送信する信号情報送信部と、を備え、
前記測定用演算処理装置は、
前記測定用信号受信装置から前記ネットワークを介して伝送された前記信号情報を受信する信号情報受信部と、
前記信号情報受信部が受信した前記信号情報の演算処理を行う演算処理部と、を備える
ことを特徴とする遠隔測定処理システム。
【請求項２】
前記測定用演算処理装置は、
前記測定用信号受信装置が前記信号情報を受信する際のパラメータの制御を行う制御命令を予め記憶する制御命令記憶部と、
前記制御命令記憶部に記憶されている前記制御命令と、前記信号情報の送信を要求する信号送信命令を前記測定用信号受信装置に前記ネットワークを介して送信する制御命令送信部と、を備え、
前記測定用信号受信装置は、
前記測定用演算処理装置から前記ネットワークを介して伝送された前記制御命令と前記信号送信命令を受信する制御命令受信部を備え、
前記信号受信部は、
前記制御命令受信部が受信した前記制御命令に従って前記信号情報を受信し、
前記信号情報送信部は、
前記制御命令受信部が受信した前記信号送信命令に従って前記信号情報を送信する、
ことを特徴とする請求項１に記載の遠隔測定処理システム。
【請求項３】
前記測定用演算処理装置は、
前記演算結果を、前記ネットワークを介して接続された端末装置に送信する演算結果送信部をさらに備え、
前記端末装置は、
前記測定用演算処理装置から前記ネットワークを介して伝送された前記演算結果を受信する演算結果受信部と、
前記演算結果受信部が受信した前記演算結果を表示する演算結果表示部と、を備える
ことを特徴とする請求項1または請求項２に記載の遠隔測定処理システム。
【請求項４】
前記端末装置は、
前記測定用演算処理装置に前記演算処理の実行を要求する演算処理実行命令の入力、または前記演算処理実行命令と前記制御命令の組み合わせの入力を受け付ける演算処理実行命令入力部と、
前記演算処理実行命令入力部に入力された前記演算処理実行命令、または前記演算処理実行命令と前記制御命令の組み合わせを前記測定用演算処理装置に前記ネットワークを介して送信する演算処理実行命令送信部と、を備え、
前記測定用演算処理装置は、
前記端末装置から前記ネットワークを介して伝送された前記演算処理実行命令、または前記演算処理実行命令と前記制御命令の組み合わせを受信する命令受信部を備え、
命令受信部は、前記演算処理実行命令のみを受信した場合、前記制御命令記憶部に記憶されている制御命令と、前記信号情報の送信を要求する信号送信命令を前記測定用信号受信装置に前記ネットワークを介して送信し、
命令受信部は、前記演算処理実行命令と前記制御命令の組み合わせを受信した場合、当該制御命令と、前記信号情報の送信を要求する信号送信命令を前記測定用信号受信装置に前記ネットワークを介して送信する、
ことを特徴とする請求項２及び請求項３に記載の遠隔測定処理システム。
【請求項５】
信号情報を受信する測定用信号受信装置が所定の場所に設置され、前記信号情報に基づく演算処理を行う測定用演算処理装置が前記所定の場所と異なる場所に設置され、前記測定用信号受信装置と、前記測定用演算処理装置とが互いにネットワークで接続される構成を有する遠隔測定処理システムにおける遠隔測定処理方法であって、
前記測定用信号受信装置は、前記信号情報を受信し、当該受信した信号情報を前記測定用演算処理装置に前記ネットワークを介して送信し、
前記測定用演算処理装置は、前記測定用信号受信装置から前記ネットワークを介して伝送された前記信号情報を受信し、当該受信した前記信号情報の演算処理を行う、
ことを特徴とする遠隔測定処理方法。
【請求項６】
前記測定用演算処理装置は、前記測定用信号受信装置が前記信号情報を受信する際のパラメータの制御を行う制御命令を予め記憶し、当該制御命令と、前記信号情報の送信を要求する信号送信命令を前記測定用信号受信装置に前記ネットワークを介して送信し、
前記測定用信号受信装置は、前記測定用演算処理装置から前記ネットワークを介して伝送された前記制御命令と前記信号送信命令を受信し、当該制御命令に従って前記信号情報を受信し、当該信号送信命令に従って前記信号情報を送信する、
ことを特徴とする請求項５に記載の遠隔測定処理方法。
【請求項７】
前記測定用演算処理装置は、前記演算結果を、前記ネットワークを介して接続された端末装置に送信し、
前記端末装置は、前記測定用演算処理装置から前記ネットワークを介して伝送された前記演算結果を受信し、当該演算結果を表示する
ことを特徴とする請求項５または請求項６に記載の遠隔測定処理システム。
【請求項８】
前記端末装置は、前記測定用演算処理装置に前記演算処理の実行を要求する演算処理実行命令の入力、または前記演算処理実行命令と前記制御命令の組み合わせの入力を受け付け、入力された前記演算処理実行命令、または前記演算処理実行命令と前記制御命令の組み合わせを前記測定用演算処理装置に前記ネットワークを介して送信し、
前記測定用演算処理装置は、前記端末装置から前記ネットワークを介して伝送された前記演算処理実行命令、または前記演算処理実行命令と前記制御命令の組み合わせを受信し、前記演算処理実行命令のみを受信した場合、前記制御命令記憶部に記憶されている制御命令と、前記信号情報の送信を要求する信号送信命令を前記測定用信号受信装置に前記ネットワークを介して送信し、前記演算処理実行命令と前記制御命令の組み合わせを受信した場合、当該制御命令と、前記信号情報の送信を要求する信号送信命令を前記測定用信号受信装置に前記ネットワークを介して送信する、
ことを特徴とする請求項６及び請求項７に記載の遠隔測定処理システム。
【発明の詳細な説明】
【技術分野】
【０００１】
本発明は、信号情報を受信する所定の場所から離れた場所において信号情報に基づく環境状態の測定を行う遠隔測定処理システム及び遠隔測定処理方法に関する。
【背景技術】
【０００２】
図５は従来の遠隔測定システムの構成を示す概略ブロック図である。図５において、遠隔測定システムは測定装置７０と遠隔制御装置８０とネットワーク９０とを備える。測定装置７０は信号受信素子７１と信号受信部７２と演算処理部７３とネットワーク接続部７４とを備える。信号受信部７２は信号受信素子７１から信号情報を受信する機能を有する。演算処理部７３は信号受信部７２が受信した信号情報に基づく演算処理を行う機能を有する。ネットワーク接続部７４はネットワーク９０を介して情報の送受信を行う機能を有する。遠隔制御装置８０は、ネットワーク接続部８１とマンマシンインタフェース部８２とを有する。ネットワーク接続部８１はネットワーク９０を介して情報の送受信を行う機能を有する。マンマシンインタフェース部８２は測定装置７０の遠隔制御を行う遠隔制御情報の入力を受け付け、測定装置７０の演算結果を表示する機能を有する。
【０００３】
次に、従来の遠隔測定システムの動作を示す。まず、遠隔制御装置８０のマンマシンインタフェース部８２は、遠隔制御操作が行われると遠隔制御情報を生成する。マンマシンインタフェース部８２が遠隔制御情報を生成すると、ネットワーク接続部８１はネットワーク９０を介して測定装置７０のネットワーク接続部７４に遠隔制御情報を送信する。ネットワーク接続部７４は、遠隔制御情報を受信すると信号受信部７２と演算処理部７３に遠隔制御情報を入力する。信号受信部７２は、遠隔制御情報が入力されると、遠隔制御情報に基づいて信号受信素子７１から信号情報を受信する。信号受信部７２が信号情報を受信すると、演算処理部７３は遠隔制御情報と信号情報に基づいて演算処理を行う。演算処理部７３が演算処理を行うと、ネットワーク接続部７４はネットワーク９０を介して演算処理の結果である演算結果を遠隔制御装置８０のネットワーク接続部８１に送信する。ネットワーク接続部８１が演算結果を受信すると、マンマシンインタフェース部８２は演算結果を表示する。
これにより、遠隔制御装置８０と離れた場所にある測定装置７０における測定結果を把握することができる。なお、遠隔測定処理システムとして、特許文献１及び特許文献２の技術が開示されている。
【特許文献１】特開２００２−０２４６７０号公報
【特許文献２】特開２００４−１５８９２７号公報
【発明の開示】
【発明が解決しようとする課題】
【０００４】
しかし、このような遠隔測定システムにおいては、測定を行う場所に設置した測定装置７０で受信信号の演算処理を行う必要があり、測定を行う場所に演算処理の実行に必要な演算処理能力を有する測定装置７０を設置する必要があった。このため、測定装置７０の設置に必要な空間や消費電力の確保など、設置場所の条件が整わなければ測定装置７０を設置することができず、測定を行うことができなかった。
また、測定を行う場所に設置する測定装置７０の演算処理機能は固定されているため、離れた場所にある遠隔制御装置８０からは測定装置７０の測定実施に関する制御を行うことができても、測定装置７０の演算処理機能を変更及び追加することができなかった。このため、演算処理機能を変更及び追加するためには測定を行う場所に設置した測定装置７０自体を変更しなければならなかった。
また、測定装置７０の演算処理機能は固定されているため、測定装置７０の設置用途は演算処理内容によって限定され、汎用性がないという問題があった。
また、遠隔測定システムが複数の測定装置７０を備える場合、複数の測定装置７０それぞれに演算処理機能を備える必要があるため、演算処理の効率が悪く、またコストが高いという問題があった。
【０００５】
本発明は上記の点に鑑みてなされたものであり、その目的は、遠隔に設置されている測定装置で受信信号の演算処理を行う必要がなく、測定装置自体を変更せずに演算処理機能の変更及び追加を実現し、演算処理の効率が良く、コストの低い遠隔測定処理システム及び遠隔測定処理方法を提供することにある。
【課題を解決するための手段】
【０００６】
本発明は上記の課題を解決するためになされたものであり、信号情報を受信する測定用信号受信装置が前記所定の場所に設置され、前記信号情報に基づく演算処理を行う測定用演算処理装置が所定の場所と異なる場所に設置され、前記測定用信号受信装置と、前記測定用演算処理装置とが互いにネットワークで接続される構成を有する遠隔測定処理システムにおいて、前記測定用信号受信装置は、前記信号情報を受信する信号受信部と、前記信号受信部で受信した前記信号情報を前記測定用演算処理装置に前記ネットワークを介して送信する信号情報送信部と、を備え、前記測定用演算処理装置は、前記測定用信号受信装置から前記ネットワークを介して伝送された前記信号情報を受信する信号情報受信部と、前記信号情報受信部が受信した前記信号情報の演算処理を行う演算処理部と、を備えることを特徴とする。
【０００７】
また、本発明における前記測定用演算処理装置は、前記測定用信号受信装置が前記信号情報を受信する際のパラメータの制御を行う制御命令を予め記憶する制御命令記憶部と、前記制御命令記憶部に記憶されている前記制御命令と、前記信号情報の送信を要求する信号送信命令を前記測定用信号受信装置に前記ネットワークを介して送信する制御命令送信部と、を備え、前記測定用信号受信装置は、前記測定用演算処理装置から前記ネットワークを介して伝送された前記制御命令と前記信号送信命令を受信する制御命令受信部を備え、前記信号受信部は、前記制御命令受信部が受信した前記制御命令に従って前記信号情報を受信し、前記信号情報送信部は、前記制御命令受信部が受信した前記信号送信命令に従って前記信号情報を送信する、ことを特徴とする。
【０００８】
また、本発明における前記測定用演算処理装置は、前記演算結果を、前記ネットワークを介して接続された端末装置に送信する演算結果送信部をさらに備え、前記端末装置は、前記測定用演算処理装置から前記ネットワークを介して伝送された前記演算結果を受信する演算結果受信部と、前記演算結果受信部が受信した前記演算結果を表示する演算結果表示部と、を備えることを特徴とする。
【０００９】
また、本発明における前記端末装置は、前記測定用演算処理装置に前記演算処理の実行を要求する演算処理実行命令の入力、または前記演算処理実行命令と前記制御命令の組み合わせの入力を受け付ける演算処理実行命令入力部と、前記演算処理実行命令入力部に入力された前記演算処理実行命令、または前記演算処理実行命令と前記制御命令の組み合わせを前記測定用演算処理装置に前記ネットワークを介して送信する演算処理実行命令送信部と、を備え、前記測定用演算処理装置は、前記端末装置から前記ネットワークを介して伝送された前記演算処理実行命令、または前記演算処理実行命令と前記制御命令の組み合わせを受信する命令受信部を備え、命令受信部は、前記演算処理実行命令のみを受信した場合、前記制御命令記憶部に記憶されている制御命令と、前記信号情報の送信を要求する信号送信命令を前記測定用信号受信装置に前記ネットワークを介して送信し、命令受信部は、前記演算処理実行命令と前記制御命令の組み合わせを受信した場合、当該制御命令と、前記信号情報の送信を要求する信号送信命令を前記測定用信号受信装置に前記ネットワークを介して送信する、ことを特徴とする。
【００１０】
また、本発明は、信号情報を受信する測定用信号受信装置が所定の場所に設置され、前記信号情報に基づく演算処理を行う測定用演算処理装置が前記所定の場所と異なる場所に設置され、前記測定用信号受信装置と、前記測定用演算処理装置とが互いにネットワークで接続される構成を有する遠隔測定処理システムにおける遠隔測定処理方法であって、前記測定用信号受信装置は、前記信号情報を受信し、当該受信した信号情報を前記測定用演算処理装置に前記ネットワークを介して送信し、前記測定用演算処理装置は、前記測定用信号受信装置から前記ネットワークを介して伝送された前記信号情報を受信し、当該受信した前記信号情報の演算処理を行う、ことを特徴とする。
【００１１】
また、本発明において、前記測定用演算処理装置は、前記測定用信号受信装置が前記信号情報を受信する際のパラメータの制御を行う制御命令を予め記憶し、当該制御命令と、前記信号情報の送信を要求する信号送信命令を前記測定用信号受信装置に前記ネットワークを介して送信し、前記測定用信号受信装置は、前記測定用演算処理装置から前記ネットワークを介して伝送された前記制御命令と前記信号送信命令を受信し、当該制御命令に従って前記信号情報を受信し、当該信号送信命令に従って前記信号情報を送信する、ことを特徴とする。
【００１２】
また、本発明において、前記測定用演算処理装置は、前記演算結果を、前記ネットワークを介して接続された端末装置に送信し、前記端末装置は、前記測定用演算処理装置から前記ネットワークを介して伝送された前記演算結果を受信し、当該演算結果を表示することを特徴とする。
【００１３】
また、本発明において、前記端末装置は、前記測定用演算処理装置に前記演算処理の実行を要求する演算処理実行命令の入力、または前記演算処理実行命令と前記制御命令の組み合わせの入力を受け付け、入力された前記演算処理実行命令、または前記演算処理実行命令と前記制御命令の組み合わせを前記測定用演算処理装置に前記ネットワークを介して送信し、前記測定用演算処理装置は、前記端末装置から前記ネットワークを介して伝送された前記演算処理実行命令、または前記演算処理実行命令と前記制御命令の組み合わせを受信し、前記演算処理実行命令のみを受信した場合、前記制御命令記憶部に記憶されている制御命令と、前記信号情報の送信を要求する信号送信命令を前記測定用信号受信装置に前記ネットワークを介して送信し、前記演算処理実行命令と前記制御命令の組み合わせを受信した場合、当該制御命令と、前記信号情報の送信を要求する信号送信命令を前記測定用信号受信装置に前記ネットワークを介して送信する、ことを特徴とする。
【発明の効果】
【００１４】
本発明によれば、測定用信号受信装置は信号情報を、取得した検知レベルのまま測定用演算処理装置へ転送し、測定用演算処理装置において演算処理が行われる。そのため、測定用信号受信装置において演算処理を行わないので、測定用信号受信装置には高機能な演算処理能力を実装する必要がない。これにより、測定用信号受信装置を簡素化することができ、測定用信号受信装置の設置条件に関する制約が減るため、測定用信号受信装置の設置を容易にすることができる。
また、測定を行う場所（所定の場所）に設置された測定用信号受信装置で受信した信号の演算処理を行う演算処理部が測定を行う場所と異なる場所に設置された測定用演算処理装置にある。これにより、演算処理の内容を変更及び追加する場合に、測定を行う場所に設置された測定用信号受信装置自体の変更は必要なくなり、測定用演算処理装置の演算処理部のみを変更すれば良いため、演算処理の内容の変更及び追加を容易にすることができる。
また、測定用信号受信装置は受信した信号をネットワークで伝送するのみで、演算処理を行わない。これにより、受信信号の演算処理内容が限定されず、測定用演算処理装置により受信信号に任意の演算処理を行うことができる。そのため、測定用信号受信装置の受信信号は多様な用途に対応し、汎用性を持つことができる。
また、測定用信号受信装置を複数備える場合、複数の測定用信号受信装置で受信した信号の演算処理を１つの測定用演算処理装置でまとめて行うことが可能である。これにより、測定用信号受信装置に演算機能を備えず、測定用演算処理装置に演算処理能力を集約することで効率的な演算処理を行うことができ、またコストを低くすることができる。
【発明を実施するための最良の形態】
【００１５】
（第１の実施形態）
以下、図面を参照しながら本発明の第１の実施形態について詳しく説明する。
図１は、本発明の第１の実施形態による遠隔測定処理システムの構成を示す概略ブロック図である。図１において、遠隔測定処理システムは、測定用信号受信装置１０と測定用演算処理装置２０と端末装置３０とネットワーク４０とを備える。
【００１６】
測定用信号受信装置１０は、信号情報の受信が可能な場所（所定の場所）に設置され、信号受信素子１１と信号受信部１２とデータ変換部１３とネットワーク接続部１４（信号情報送信部）とを備える。信号受信部１２は、信号受信素子１１から信号情報を受信する機能を有する。信号受信部１２の例として無線信号を受信する無線信号受信部や、光スペクトルを受信する光スペクトル受信部や、音波を受信する音波受信部などが挙げられる。データ変換部１３は、信号情報をネットワーク４０で伝送可能なデータ形態に変換する機能を有する。例えば、ネットワーク４０がデジタル伝送路であれば信号情報をデジタル信号に変換し、ネットワーク４０がアナログ伝送路であれば信号情報をアナログ信号に変換する。ネットワーク接続部１４はネットワーク４０を介して信号情報の送信を行う機能を有する。
【００１７】
測定用演算処理装置２０は、ネットワーク接続部２１（信号情報受信部、演算結果送信部）と演算処理部２２と演算処理内容記憶部２３とを備える。ネットワーク接続部２１は、ネットワーク４０を介して情報の送受信を行う機能を有する。演算処理部２２は、測定用信号受信装置１０から受信した信号情報の演算処理を行い、演算結果を出力する機能を有する。演算処理内容記憶部２３は、予め信号情報の内容と信号情報の演算処理内容を関連付けて記憶する。信号情報の内容は、例えば光スペクトル信号や、音波信号などを示す。
【００１８】
端末装置３０は、ネットワーク接続部３１（演算結果受信部）と、演算結果表示部３２とを備える。ネットワーク接続部３１は、ネットワーク４０を介して演算結果の受信を行う機能を有する。演算結果表示部３２は、測定用演算処理装置２０から受信した演算結果を表示する機能を有する。
【００１９】
図２は、本発明の第１の実施形態による遠隔測定処理システムの動作を示すフローチャートである。
まず、測定用信号受信装置１０の信号受信部１２は、信号受信素子１１を介して信号情報を受信する（ステップＳ１）。信号受信部１２が信号情報を受信すると、データ変換部１３は、信号情報をネットワーク４０で伝送可能なデータ形態に変換する（ステップＳ２）。データ変換部１３が信号情報を変換すると、ネットワーク接続部１４は、ネットワーク４０を介して測定用演算処理装置２０のネットワーク接続部２１に変換された信号情報を送信する（ステップＳ３）。次に、測定用演算処理装置２０のネットワーク接続部２１が信号情報を受信すると、演算処理部２２は、受信した信号情報に関連付けられた演算処理内容を演算処理内容記憶部２３から取得する（ステップＳ４）。演算処理部２２は、演算処理内容を取得すると、取得した演算処理内容に従って信号情報に基づく演算処理を行い、演算結果を出力する（ステップＳ５）。演算処理部２２が演算結果を出力すると、ネットワーク接続部２１はネットワーク４０を介して端末装置３０のネットワーク接続部３１に演算結果を送信する（ステップＳ６）。ネットワーク接続部３１が演算結果を受信すると、演算結果表示部３２は受信した演算結果を表示する（ステップＳ７）。
【００２０】
このように、第１の実施形態によれば、測定用信号受信装置１０において演算処理を行わないことで、測定用信号受信装置１０を簡素化することができる。これにより測定用信号受信装置１０の小型化を図ることができ、また必要な消費電力を抑えることが可能になるので、測定用信号受信装置１０の設置条件に関する制約が減るため、測定用信号受信装置１０の設置を容易にすることができる。
また、演算処理部２２が測定を行う場所と異なる場所に設置された測定用演算処理装置２０にある。これにより、演算処理の内容を変更及び追加する場合に、測定を行う場所に設置された測定用信号受信装置１０自体の変更は必要なくなり、測定用演算処理装置２０の演算処理部２２のみを変更すれば良いため、演算処理の内容の変更及び追加を容易にすることができる。
また、測定用信号受信装置１０は受信した信号をネットワーク４０で伝送する。これにより、受信信号の演算処理内容が限定されず、測定用演算処理装置２０により受信信号に任意の演算処理を行うことができる。そのため、測定用信号受信装置１０の受信信号は多様な用途に対応し、汎用性を持つことができる。
また、測定用信号受信装置１０を複数備える場合、複数の測定用信号受信装置１０で受信した信号の演算処理を１つの測定用演算処理装置２０でまとめて行うことが可能である。これにより、測定用信号受信装置に演算機能を備えず、測定用演算処理装置２０に演算処理能力を集約することで効率的な演算処理を行うことができ、またコストを低くすることができる。
【００２１】
以上、図面を参照して本発明の第１の実施形態について詳しく説明してきたが、具体的な構成は上述のものに限られることはなく、この発明の要旨を逸脱しない範囲内において様々な設計変更等をすることが可能である。
例えば、第１の実施形態において、遠隔測定処理システムは端末装置３０を備える構成である場合を説明したが、これに限られず、測定用信号受信装置１０に演算結果受信部と演算結果表示部を設けることで、端末装置３０を備えない構成としてもよい。また、測定用演算処理装置２０に演算結果表示部を設けることで、端末装置３０を備えない構成としてもよい。
【００２２】
なお、第１の実施形態において、測定用信号受信装置１０、測定用演算処理装置２０、端末装置３０が１台ずつネットワークに接続されている場合を説明したが、これに限られず、これらの各装置１０、２０、３０が複数台ネットワークに接続されてもよい。
【００２３】
なお、第１の実施形態において、測定用信号受信装置１０がネットワーク４０を介して測定用演算処理装置２０に信号情報を送信することで測定用演算処理装置２０が演算処理を行う場合を説明したが、これに限られず、測定用信号受信装置１０は信号情報をデータベースに蓄積し、測定用演算処理装置２０は蓄積された信号情報によって演算処理を行ってもよい。例えば、ネットワーク４０にデータベースを接続する。測定用信号受信装置１０はネットワーク４０を介してデータベースに信号情報を蓄積させる。測定用演算処理装置２０はネットワーク４０を介してデータベースから信号情報を取得する。取得した信号情報によって演算処理を行う。
これにより、測定用演算処理装置２０は取得した時点の信号情報だけでなく、過去の信号情報を参照することができる。そのため、時系列にデータを処理するなど、さらに信号情報の汎用性を高めることができる。
【００２４】
なお、第１の実施形態において、測定用演算処理装置２０がネットワーク４０を介して端末装置３０に演算結果を送信する場合を説明したが、これに限られず、測定用演算処理装置２０は演算結果をデータベースに蓄積し、端末装置３０は蓄積された演算結果を受信してもよい。例えば、ネットワーク４０にデータベースを接続する。測定用演算処理装置２０はネットワーク４０を介してデータベースに演算結果を蓄積させる。端末装置３０はネットワーク４０を介してデータベースから信号情報を取得する。
これにより、端末装置３０は取得した時点の演算結果だけでなく、過去の演算結果を参照することができる。さらに、演算に時間がかかる演算結果を取得する場合も、データベースに蓄積されている演算結果を取得するだけなので、時間をかけずに演算結果を取得することができる。また、遠隔測定処理システムが端末装置３０を複数備える場合、測定用演算処理装置２０は複数の端末装置３０毎に演算をする必要がなくなるため、演算処理の効率を向上させることができる。
【００２５】
（第２の実施形態）
以下、図面を参照しながら本発明の第２の実施形態について詳しく説明する。第２の実施形態は、端末装置によって遠隔測定を制御する例である。
図３は、本発明の第２の実施形態による遠隔測定処理システムの構成を示す概略ブロック図である。第２の実施形態における遠隔測定処理システムは、第１の実施形態における遠隔測定処理システムの測定用演算処理装置２０がさらに制御命令記憶部２４を備え、端末装置３０がさらに演算処理実行命令入力部３３を備えるものである。また、ネットワーク接続部１４、ネットワーク接続部２１、ネットワーク接続部３１の入力及び処理が第１の実施形態と異なる。他の処理部の構成・機能は、第１の実施形態と同一であるため、説明を省略する。
【００２６】
測定用演算処理装置２０の制御命令記憶部２４は、測定用信号受信装置１０が信号情報を受信する際のパラメータの制御を行う制御命令を予め記憶する。パラメータの例として、信号受信方法、信号受信開始時刻、信号受信停止時刻、信号受信タイミング、信号受信感度、信号受信帯域幅、信号受信分解能、信号到来方向の指向性などが挙げられる。端末装置３０の演算処理実行命令入力部３３は、測定用演算処理装置２０に演算処理の実行を要求する演算処理実行命令の入力を、または演算処理実行命令と制御命令の入力を受け付ける。ネットワーク接続部１４（信号情報送信部、制御命令受信部）、ネットワーク接続部２１（信号情報受信部、演算結果送信部、制御命令送信部、命令受信部）、ネットワーク接続部３１（演算結果受信部、演算処理実行命令送信部）は、それぞれネットワーク４０を介して情報の送受信を行う機能を有する。ネットワーク接続部２１はさらに測定用信号受信装置１０に信号情報の送信を要求する信号送信命令を生成する機能を有する。
【００２７】
図４は、本発明の第２の実施形態による遠隔測定処理システムの動作を示すフローチャートである。第１の実施形態と同一の処理を行うステップは同一の符号を用いて説明する。
まず、使用者が端末装置３０の演算処理実行命令入力部３３に演算処理実行命令を入力する（ステップＳ２１）。演算処理実行命令は、上述したように、測定用演算処理装置２０に演算処理の実効を要求する命令である。使用者はさらに演算処理実行命令入力部３３に制御命令を入力することができる（ステップＳ２２）。制御命令は、上述したように、測定用信号受信装置１０が信号情報を受信する際のパラメータの制御を行う命令である。演算処理実行命令入力部３３に制御命令を入力された場合、ネットワーク接続部３１はネットワーク４０を介して、測定用演算処理装置２０のネットワーク接続部２１に演算処理実行命令と制御命令の組み合わせを送信する（ステップＳ２３）。演算処理実行命令入力部３３に制御命令が入力されなかった場合、測定用演算処理装置２０のネットワーク接続部２１に演算処理実行命令を送信する（ステップＳ２４）。ネットワーク接続部２１が演算処理実行命令のみを受信した場合、ネットワーク接続部２１は制御命令記憶部２４に記憶されている制御命令を取得する（ステップＳ２５）。次に、ネットワーク接続部２１は、ネットワーク４０を介して測定用信号受信装置１０のネットワーク接続部１４に、信号送信命令と、端末装置３０から受信した制御命令または制御命令記憶部２４から取得した制御命令を送信する（ステップＳ２６）。信号送信命令は、測定用信号受信装置１０に信号情報の送信を要求する命令である。
【００２８】
ネットワーク接続部１４が信号送信命令と制御命令を受信すると、測定用信号受信装置１０の信号受信部１２は、制御命令に従って信号受信素子１１から信号情報を受信する（ステップＳ２７）。信号受信部１２が信号情報を受信すると、データ変換部１３は、信号情報をネットワーク４０で伝送可能なデータ形態に変換する（ステップＳ２）。データ変換部１３が信号情報を変換すると、ネットワーク接続部１４は、ネットワーク４０を介して測定用演算処理装置２０のネットワーク接続部２１に変換された信号情報を送信する（ステップＳ３）。ネットワーク接続部２１が信号情報を受信すると、演算処理部２２は、受信した信号情報に関連付けられた演算処理内容を演算処理内容記憶部２３から取得する（ステップＳ４）。演算処理部２２は、演算処理内容を取得すると、取得した演算処理内容に従って信号情報の演算処理を行い、演算結果を出力する（ステップＳ５）。演算処理部２２が演算結果を出力すると、ネットワーク接続部２１はネットワーク４０を介して端末装置３０のネットワーク接続部３１に演算結果を送信する（ステップＳ６）。ネットワーク接続部３１が演算結果を受信すると、演算結果表示部３２は受信した演算結果を表示する（ステップＳ７）。
【００２９】
このように、第２の実施形態によれば、端末装置３０において遠隔測定を制御する。これにより、使用者が必要なときに演算結果を表示することができる。また、端末装置３０によって信号情報取得におけるパラメータの制御ができる。これによって、より使用者の要求に沿った信号情報の演算が可能になる。
【００３０】
以上、図面を参照してこの発明の第２の実施形態について詳しく説明してきたが、具体的な構成は上述のものに限られることはなく、この発明の要旨を逸脱しない範囲内において様々な設計変更等をすることが可能である。
例えば、第２の実施形態において、遠隔測定処理システムは端末装置３０を備える構成である場合を説明したが、これに限られず、測定用演算処理装置２０に演算結果表示部を設けることで、端末装置３０を備えない構成としてもよい。
【００３１】
なお、第２の実施形態において、測定用信号受信装置１０、測定用演算処理装置２０、端末装置３０が１台ずつネットワークに接続されている場合を説明したが、これに限られず、これらの各装置１０、２０、３０が複数台ネットワークに接続されてもよい。
【００３２】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】本発明の第１の実施形態による遠隔測定処理システムの構成を示す概略ブロック図である。
【図２】本発明の第１の実施形態による遠隔測定処理システムの動作を示すフローチャートである。
【図３】本発明の第２の実施形態による遠隔測定処理システムの構成を示す概略ブロック図である。
【図４】本発明の第２の実施形態による遠隔測定処理システムの動作を示すフローチャートである。
【図５】従来の遠隔測定システムの構成を示す概略ブロック図である。
【符号の説明】
【００３５】
１０…測定用信号受信装置  １１…信号受信素子  １２…信号受信部  １３…データ変換部  １４…ネットワーク接続部  ２０…測定用演算処理装置  ２１…ネットワーク接続部  ２２…演算処理部  ２３…演算処理内容記憶部  ２４…制御命令記憶部  ３０…端末装置  ３１…ネットワーク接続部  ３２…演算結果表示部  ３３…演算処理実行命令入力部  ４０…ネットワーク
【図１】
2010004393.tif 000003
【図２】
2010004393.tif 000004
【図３】
2010004393.tif 000005
【図４】
2010004393.tif 000006
【図５】
2010004393.tif 000007